【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
ネットワーク介して接続されたコンテンツ受信装置にコンテンツを供給するコンテンツ供給装置において、
前記コンテンツ受信装置がコンテンツをダウンロードするために必要なダウンロード制御データと、前記コンテンツ受信装置がダウンロード済みのコンテンツを再生するために必要な再生制御データを前記コンテンツ受信装置に供給する制御データ供給手段と、
前記ダウンロード制御データに基づく前記コンテンツ受信装置からの要求に応じ、暗号化されたコンテンツを供給するコンテンツ供給手段と、
前記ダウンロード制御データに基づく前記コンテンツ受信装置からの要求に応じ、前記暗号化されたコンテンツを復号するための鍵を含む前記ライセンスを供給するとともに、
前記再生制御データに基づく前記コンテンツ受信装置からの要求に応じて前記ライセンスを供給するライセンス供給手段と
を含むコンテンツ供給装置。
【請求項２】
前記ダウンロード制御データに基づく前記コンテンツ受信装置からの前記ライセンスの要求に対応し、前記コンテンツ受信装置のユーザに対して課金または購入済みの権利数を削減する処理を実行する課金手段を
さらに含む請求項１に記載のコンテンツ供給装置。
【請求項３】
ネットワーク介して接続されたコンテンツ受信装置にコンテンツを供給するコンテンツ供給装置のコンテンツ供給方法において、
前記コンテンツ受信装置がコンテンツをダウンロードするために必要なダウンロード制御データを前記コンテンツ受信装置に供給し、
前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、
前記ダウンロード制御データに基づく前記コンテンツ受信装置からの要求に応じ、暗号化されたコンテンツを供給し、
前記ダウンロード制御データに基づく前記コンテンツ受信装置からの要求に応じ、前記暗号化されたコンテンツを復号するための鍵を含む前記ライセンスを供給し、
前記再生制御データに基づく前記コンテンツ受信装置からの要求に応じて前記ライセンスを供給する
ステップを含むコンテンツ供給方法。
【請求項４】
ネットワーク介して接続されたコンテンツ受信装置にコンテンツを供給するコンテンツ供給装置の制御用のプログラムであって、
前記コンテンツ受信装置がコンテンツをダウンロードするために必要なダウンロード制御データを前記コンテンツ受信装置に供給し、
前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、
前記ダウンロード制御データに基づく前記コンテンツ受信装置からの要求に応じ、暗号化されたコンテンツを供給し、
前記ダウンロード制御データに基づく前記コンテンツ受信装置からの要求に応じ、前記暗号化されたコンテンツを復号するための鍵を含む前記ライセンスを供給し、
前記再生制御データに基づく前記コンテンツ受信装置からの要求に応じて前記ライセンスを供給する
ステップを含む処理をコンピュータに実行させるプログラム。
【請求項５】
ネットワークを介して接続したコンテンツ供給装置からコンテンツを受信するコンテンツ受信装置において、
ユーザの操作を入力する操作入力手段と、
前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、
前記暗号化されたコンテンツがダウンロードされたとき、前記ダウンロード制御データに基づいて、前記暗号化されたコンテンツを復号するための鍵を含むライセンスを前記コンテンツ供給装置から取得するとともに、ダウンロード済みの前記暗号化されたコンテンツを再生するとき、前記再生制御データに基づいて取得済みの前記ライセンスを確認し、確認結果に対応して前記ライセンスを再取得する取得手段と、
取得された前記ライセンスを用いて、前記暗号化されたコンテンツを復号、再生する再生手段と
を含むコンテンツ受信装置。
【請求項６】
前記取得手段は、前記暗号化されたコンテンツがダウンロードされたとき、前記ダウンロード制御データに基づいて、ダミーの前記ライセンスを前記コンテンツ供給装置から取得するとともに、ダウンロード済みの前記暗号化されたコンテンツを再生するとき、前記再生制御データに基づいて真の前記ライセンスを取得する
請求項５に記載のコンテンツ受信装置。
【請求項７】
ネットワークを介して接続したコンテンツ供給装置からコンテンツを受信するコンテンツ受信装置のコンテンツ受信方法において、
ユーザの操作を入力し、
前記ユーザの操作に対応し、コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツがダウンロードされたとき、前記ダウンロード制御データに基づいて、前記暗号化されたコンテンツを復号するための鍵を含むライセンスを前記コンテンツ供給装置から取得し、
ダウンロード済みの前記暗号化されたコンテンツを再生するとき、前記再生制御データに基づいて取得済みの前記ライセンスを確認し、確認結果に対応して前記ライセンスを再取得し、
取得された前記ライセンスを用いて、前記暗号化されたコンテンツを復号、再生する
ステップを含むコンテンツ受信方法。
【請求項８】
ネットワークを介して接続したコンテンツ供給装置からコンテンツを受信するコンテンツ受信装置の制御用のプログラムであって、
ユーザの操作を入力し、
前記ユーザの操作に対応し、コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツがダウンロードされたとき、前記ダウンロード制御データに基づいて、前記暗号化されたコンテンツを復号するための鍵を含むライセンスを前記コンテンツ供給装置から取得し、
ダウンロード済みの前記暗号化されたコンテンツを再生するとき、前記再生制御データに基づいて取得済みの前記ライセンスを確認し、確認結果に対応して前記ライセンスを再取得し、
取得された前記ライセンスを用いて、前記暗号化されたコンテンツを復号、再生する
ステップを含む処理をコンピュータに実行させるプログラム。
【請求項９】
コンテンツを供給するコンテンツ供給装置と、ネットワークを介して前記コンテンツ供給装置からコンテンツを受信するコンテンツ受信装置とからなるコンテンツダウンロードシステムにおいて、
前記コンテンツ受信装置は、
ユーザの操作を入力する操作入力手段と、
前記ユーザの操作に対応し、コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、
前記暗号化されたコンテンツがダウンロードされたとき、前記ダウンロード制御データに基づいて、前記暗号化されたコンテンツを復号するための鍵を含むライセンスを前記コンテンツ供給装置から取得するとともに、ダウンロード済みの前記暗号化されたコンテンツを再生するとき、前記再生制御データに基づいて取得済みの前記ライセンスを確認し、確認結果に対応して前記ライセンスを再取得する取得手段と、
取得された前記ライセンスを用いて、前記暗号化されたコンテンツを復号、再生する再生手段とを含み、
前記コンテンツ供給装置は、
前記コンテンツ受信装置がコンテンツをダウンロードするために必要な前記ダウンロード制御データと、前記コンテンツ受信装置がダウンロード済みのコンテンツを再生するために必要な前記再生制御データを前記コンテンツ受信装置に供給する制御データ供給手段と、
前記ダウンロード制御データに基づく前記コンテンツ受信装置からの要求に応じ、前記暗号化されたコンテンツを供給するコンテンツ供給手段と、
前記ダウンロード制御データに基づく前記コンテンツ受信装置からの要求に応じ、前記暗号化されたコンテンツを復号するための鍵を含む前記ライセンスを供給するとともに、前記再生制御データに基づく前記コンテンツ受信装置からの要求に応じて前記ライセンスを供給するライセンス供給手段とを含む
コンテンツダウンロードシステム。
【請求項１０】
ネットワーク介して接続されたコンテンツ受信装置にコンテンツを供給するコンテンツ供給装置において、
前記コンテンツ受信装置からの要求に応じ、前記コンテンツ受信装置がコンテンツをダウンロードするために必要なダウンロード制御データと、前記コンテンツ受信装置がダウンロード済みのコンテンツを再生するために必要な再生制御データを前記コンテンツ受信装置に供給する制御データ供給手段と、
前記ダウンロード制御データに基づく前記コンテンツ受信装置からの要求に応じ、前記暗号化されたコンテンツを供給するコンテンツ供給手段と、
前記コンテンツのダウンロードが完了したときに通知される、前記ダウンロード制御データに基づく前記コンテンツ受信装置からの要求に応じ、前記暗号化されたコンテンツを復号するための鍵を含む真ライセンス、または前記真ライセンスとは異なるダミーライセンスの少なくとも一方を供給するライセンス供給手段と、
前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定する判定手段と、
前記コンテンツ受信装置の前記ユーザによる前記購入操作に対応して前記コンテンツ受信装置の前記ユーザに課金を行うとともに、前記判定手段によって課金キャンセル可と判定された場合のみ、前記コンテンツ受信装置の前記ユーザに対する課金をキャンセルする課金手段と
を含むコンテンツ供給装置。
【請求項１１】
前記判定手段は、前記コンテンツ受信装置から通知される前記ユーザによる購入済みコンテンツの購入を取り消すキャンセル操作に応じ、対応する前記真ライセンスおよび前記ダミーライセンスが供給されていない場合には課金キャンセル可と判定し、対応する前記真ライセンスまたは前記ダミーライセンスの少なくとも一方が供給されている場合には課金キャンセル不可と判定する
請求項１０に記載のコンテンツ供給装置。
【請求項１２】
前記判定手段は、前記コンテンツ受信装置から通知される前記ユーザによる購入済みコンテンツの購入を取り消すキャンセル操作に応じ、前記コンテンツ受信装置の機種情報に基づいて前記課金キャンセルの可と判定した場合、さらに、対応する前記真ライセンスおよび前記ダミーライセンスが供給されていない場合には課金キャンセル可と判定し、対応する前記真ライセンスまたは前記ダミーライセンスの少なくとも一方が供給されている場合には課金キャンセル不可と判定する
請求項１１に記載のコンテンツ供給装置。
【請求項１３】
前記ダウンロード制御データに基づく前記コンテンツ受信装置からの要求に応じ、前記ダミーライセンスを供給した場合、前記コンテンツ受信装置において前記コンテンツのダウンロードが完了したと判断し、ダウンロード所要時間率、またはダウンロード成功率の少なくとも一方を算出する算出手段を
さらに含む請求項１０に記載のコンテンツ供給装置。
【請求項１４】
ネットワーク介して接続されたコンテンツ受信装置にコンテンツを供給するコンテンツ供給装置のコンテンツ供給方法において、
前記コンテンツ受信装置のユーザによるコンテンツを購入する購入操作に対応して前記コンテンツ受信装置の前記ユーザに課金を行い、
前記コンテンツ受信装置からの要求に応じ、前記コンテンツ受信装置がコンテンツをダウンロードするために必要なダウンロード制御データを前記コンテンツ受信装置に供給し、
前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、
前記ダウンロード制御データに基づく前記コンテンツ受信装置からの要求に応じ、前記暗号化されたコンテンツを供給し、
前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定し、
課金キャンセル可と判定した場合のみ、前記コンテンツ受信装置の前記ユーザに対する課金をキャンセルする
ステップを含むコンテンツ供給方法。
【請求項１５】
ネットワーク介して接続されたコンテンツ受信装置にコンテンツを供給するコンテンツ供給装置の制御用のプログラムであって、
前記コンテンツ受信装置のユーザによるコンテンツを購入する購入操作に対応して前記コンテンツ受信装置の前記ユーザに課金を行い、
前記コンテンツ受信装置からの要求に応じ、前記コンテンツ受信装置がコンテンツをダウンロードするために必要なダウンロード制御データを前記コンテンツ受信装置に供給し、
前記ダウンロード制御データに基づく前記コンテンツ受信装置からの要求に応じ、前記コンテンツ受信装置がダウンロード済みのコンテンツを再生するために必要な再生制御データを前記コンテンツ受信装置に供給し、
前記ダウンロード制御データに基づく前記コンテンツ受信装置からの要求に応じ、前記暗号化されたコンテンツを供給し、
前記コンテンツ受信装置から通知される前記ユーザによる購入済みコンテンツの購入を取り消すキャンセル操作に応じ、対応する前記真ライセンスと前記ダミーライセンスの供給状況に応じて、課金キャンセルの可否を判定し、
課金キャンセル可と判定した場合のみ、前記コンテンツ受信装置の前記ユーザに対する課金をキャンセルする
ステップを含む処理をコンピュータに実行させるプログラム。
【請求項１６】
ネットワークを介して接続したコンテンツ供給装置からコンテンツを受信するコンテンツ受信装置において、
ユーザから入力される前記コンテンツを購入する購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得する取得手段と、
取得された前記真ライセンスを用いて、前記暗号化されたコンテンツを復号、再生する再生手段と、
前記ユーザから入力される購入済みコンテンツの購入を取り消すキャンセル操作に応じ、前記キャンセル操作を前記コンテンツ供給装置に通知する通知手段と
を含むコンテンツ受信装置。
【請求項１７】
前記通知手段は、さらに、前記ユーザから入力される購入済みコンテンツの購入を取り消すキャンセル操作に応じ、購入キャンセルの可否を判定する
請求項１６に記載のコンテンツ受信装置。
【請求項１８】
ネットワークを介して接続したコンテンツ供給装置からコンテンツを受信するコンテンツ受信装置のコンテンツ受信方法において、
ユーザから入力される前記コンテンツを購入する購入操作に対応し、前記コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得し、
取得された前記真ライセンスを用いて、前記暗号化されたコンテンツを復号、再生し、
前記ユーザから入力される購入済みコンテンツの購入を取り消すキャンセル操作に応じ、前記キャンセル操作を前記コンテンツ供給装置に通知する
ステップを含むコンテンツ受信方法。
【請求項１９】
ネットワークを介して接続したコンテンツ供給装置からコンテンツを受信するコンテンツ受信装置の制御用のプログラムであって、
ユーザから入力される前記コンテンツを購入する購入操作に対応し、前記コンテンツをダウンロードするために必要なダウンロード制御データを前記コンテンツ供給装置から取得し、
前記ダウンロード制御データに基づいて、暗号化されたコンテンツと前記コンテンツを再生するために必要な再生制御データを前記コンテンツ供給装置からダウンロードし、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得し、
取得された前記真ライセンスを用いて、前記暗号化されたコンテンツを復号、再生し、
前記ユーザから入力される購入済みコンテンツの購入を取り消すキャンセル操作に応じ、前記キャンセル操作を前記コンテンツ供給装置に通知する
ステップを含む処理をコンピュータに実行させるプログラム。
【請求項２０】
コンテンツを供給するコンテンツ供給装置と、ネットワークを介して前記コンテンツ供給装置からコンテンツを受信するコンテンツ受信装置とからなるコンテンツダウンロードシステムにおいて、
前記コンテンツ受信装置は、
前記ユーザから入力される前記コンテンツを購入する購入操作に対応し、前記コンテンツをダウンロードするために必要なダウンロード制御データを前記コンテンツ供給装置から取得し、前記ダウンロード制御データに基づいて、暗号化されたコンテンツと前記コンテンツを再生するために必要な再生制御データを前記コンテンツ供給装置からダウンロードするダウンロード手段と、
前記暗号化されたコンテンツのダウンロードが完了したとき、前記ダウンロード制御データに基づいて、前記暗号化されたコンテンツを復号するための鍵を含む真ライセンス、または前記真ライセンスとは異なるダミーライセンスの少なくとも一方を前記コンテンツ供給装置から取得する取得手段と、
取得された前記真ライセンスを用いて、前記暗号化されたコンテンツを復号、再生する再生手段と、
前記ユーザから入力される購入済みコンテンツの購入を取り消すキャンセル操作に対応し、前記キャンセル操作を前記コンテンツ供給装置に通知する通知手段とを含み、
前記コンテンツ供給装置は、
前記コンテンツ受信装置からの要求に応じ、前記コンテンツ受信装置がコンテンツをダウンロードするために必要な前記ダウンロード制御データと、前記コンテンツ受信装置がダウンロード済みのコンテンツを再生するために必要な前記再生制御データを前記コンテンツ受信装置に供給する制御データ供給手段と、
前記ダウンロード制御データに基づく前記コンテンツ受信装置からの要求に応じ、前記暗号化されたコンテンツを供給するコンテンツ供給手段と、
前記ダウンロード制御データに基づく前記コンテンツ受信装置からの要求に応じ、前記真ライセンス、または前記ダミーライセンスの少なくとも一方を供給するライセンス供給手段と、
前記コンテンツ受信装置から通知される前記ユーザによる前記キャンセル操作に応じ、対応する前記真ライセンスと前記ダミーライセンスの供給状況に応じて、課金キャンセルの可否を判定する判定手段と、
前記コンテンツ受信装置の前記ユーザによる前記購入操作に対応して前記コンテンツ受信装置の前記ユーザに課金を行うとともに、前記判定手段によって課金キャンセル可と判定された場合のみ、前記コンテンツ受信装置の前記ユーザに対する課金をキャンセルする課金手段とを含む
コンテンツダウンロードシステム。
【手続補正２】
【補正対象書類名】明細書
【補正対象項目名】発明の名称
【補正方法】変更
【補正の内容】
【発明の名称】コンテンツ供給装置およびコンテンツ供給方法、コンテンツ受信装置およびコンテンツ受信方法、プログラム、並びにコンテンツダウンロードシステム
【手続補正３】
【補正対象書類名】明細書
【補正対象項目名】０００１
【補正方法】変更
【補正の内容】
【０００１】
本発明は、コンテンツ供給装置およびコンテンツ供給方法、コンテンツ受信装置およびコンテンツ受信方法、プログラム、並びにコンテンツダウンロードシステムに関し、特に、ダウンロードして蓄積しているコンテンツをユーザが任意のタイミングで利用できるコンテンツダウンロードサービスを実現する場合に用いて好適なコンテンツ供給装置およびコンテンツ供給方法、コンテンツ受信装置およびコンテンツ受信方法、プログラム、並びにコンテンツダウンロードシステムに関する。